(57)【特許請求の範囲】
【請求項１】
弾性体により構成され、内部に円筒形状の空間が形成され、身体に押し付けられる押圧部と、
円筒形状を有する部材であり、前記押圧部の内部の空間に配置され、前記押圧部の内周面が接触するように前記押圧部が取り付けられる熱源部と、
前記熱源部の内部に形成される空間に配置され、前記押圧部を支持する軸である支持部材と、
前記熱源部の内周面との間に空間が形成されるように前記支持部材の周囲に巻き付けられ、交流電流が供給される送電用コイルと、
前記熱源部に埋め込まれる受電用コイルと、
前記熱源部に埋め込まれ、前記受電用コイルと電気的に接続されるヒーターとを備える
マッサージ機。
【請求項２】
前記ヒーターは前記受電用コイルよりも前記熱源部の径方向外方に配置される
請求項１に記載のマッサージ機。
【請求項３】
電気的に接続された前記受電用コイルおよび前記ヒーターの組を複数備え、それらの組が前記熱源部の周方向に並べて配置される
請求項１または２に記載のマッサージ機。
【請求項４】
弾性体により構成され、内部に円筒形状の空間が形成され、身体に押し付けられる押圧部と、
導電体により構成され、円筒形状を有する部材であり、前記押圧部と同軸を有するように前記押圧部の内部の空間に配置され、前記押圧部の内周面が接触するように前記押圧部が取り付けられる熱源部と、
前記押圧部と同軸を有するように前記熱源部の内部に形成される空間に配置され、前記押圧部を支持する軸である支持部材と、
前記熱源部の内周面との間に空間が形成されるように前記支持部材の周囲に巻き付けられ、交流電流が供給される送電用コイルと、
前記支持部材に対して前記押圧部が回転できるように前記押圧部を支持し、前記押圧部および前記熱源部を軸方向の両側から挟み込むように前記支持部材に取り付けられる一対の軸受とを備える
マッサージ機。
【請求項５】
前記熱源部は径方向外方に突出する凸部を備え、
前記押圧部は前記凸部が嵌め込まれる凹部を備える
請求項４に記載のマッサージ機。
【請求項６】
導電性を有する弾性体により構成され、内部に円筒形状の空間が形成され、身体に押し付けられる押圧部と、
円筒形状を有する部材であり、前記押圧部の内部の空間に配置され、前記押圧部の内周面が接触するように前記押圧部が取り付けられる取付部と、
前記取付部の内部に形成される空間に配置され、前記押圧部を支持する軸である支持部材と、
前記取付部の内周面との間に空間が形成されるように前記支持部材の周囲に巻き付けられ、交流電流が供給される送電用コイルとを備える
マッサージ機。
【請求項７】
前記押圧部における外周部分の導電性が前記押圧部における内周部分の導電性よりも高い
請求項６に記載のマッサージ機。
【発明の詳細な説明】
【技術分野】
【０００１】
本発明は、使用者の身体を押圧する施療子を備えるマッサージ機に関する。
【背景技術】
【０００２】
従来、例えば背もたれ部に施療子としての揉み玉を有するマッサージ機構を組み込んだ椅子型のマッサージ機は、背中のつぼや経絡に揉み玉を当てて所定の動作をさせ、血行を促進させることで肩や背中の凝りを解消させるものである。これらのマッサージ機は、従来より提案されており、一般家庭・公的施設等にも多く普及している。
【０００３】
また、近年のマッサージ機では、マッサージ機構に熱源を収容する熱伝達手段を設けることで揉み玉の押圧動作によるマッサージに加えて温熱療法を行うものが開発されている（例えば特許文献１参照）。
【先行技術文献】
【特許文献】
【０００４】
【特許文献１】特開２０１１−６２４４８号公報
【発明の概要】
【発明が解決しようとする課題】
【０００５】
しかしながら、このマッサージ機では、揉み玉が取り付けられるケース等を温めてそのケースを押し当てることにより身体を温めるように構成されており、揉み玉の押圧部が直接温かくなるものではなかった。このため、温めた箇所をマッサージするわけではなく、温めた箇所の周りをマッサージすることとなり、温めながらマッサージする際と比較してマッサージ効果が劣っていた。つまり、このマッサージ機では、温かい人間の手でマッサージする際のマッサージ効果と、同等のマッサージ効果を得られるものではなかった。
【０００６】
この発明は、このような従来の技術に存在する問題点に着目してなされたものである。その目的は、施療子自体が温かいマッサージ機を提供することにある。
【課題を解決するための手段】
【０００７】
本発明に従うマッサージ機の第１の形態は、弾性体により構成され、内部に円筒形状の空間が形成され、身体に押し付けられる押圧部と、円筒形状を有する部材であり、前記押圧部の内部の空間に配置され、前記押圧部の内周面が接触するように前記押圧部が取り付けられる熱源部と、前記熱源部の内部に形成される空間に配置され、前記押圧部を支持する軸である支持部材と、前記熱源部の内周面との間に空間が形成されるように前記支持部材の周囲に巻き付けられ、交流電流が供給される送電用コイルと、前記熱源部に埋め込まれる受電用コイルと、前記熱源部に埋め込まれ、前記受電用コイルと電気的に接続されるヒーターとを備える。
本発明に従うマッサージ機の第２の形態は、弾性体により構成され、内部に円筒形状の空間が形成され、身体に押し付けられる押圧部と、導電体により構成され、円筒形状を有する部材であり、前記押圧部と同軸を有するように前記押圧部の内部の空間に配置され、前記押圧部の内周面が接触するように前記押圧部が取り付けられる熱源部と、前記押圧部と同軸を有するように前記熱源部の内部に形成される空間に配置され、前記押圧部を支持する軸である支持部材と、前記熱源部の内周面との間に空間が形成されるように前記支持部材の周囲に巻き付けられ、交流電流が供給される送電用コイルと、前記支持部材に対して前記押圧部が回転できるように前記押圧部を支持し、前記押圧部および前記熱源部を軸方向の両側から挟み込むように前記支持部材に取り付けられる一対の軸受とを備える。
本発明に従うマッサージ機の第３の形態は、導電性を有する弾性体により構成され、内部に円筒形状の空間が形成され、身体に押し付けられる押圧部と、円筒形状を有する部材であり、前記押圧部の内部の空間に配置され、前記押圧部の内周面が接触するように前記押圧部が取り付けられる取付部と、前記取付部の内部に形成される空間に配置され、前記押圧部を支持する軸である支持部材と、前記取付部の内周面との間に空間が形成されるように支持部材の周囲に巻き付けられ、交流電流が供給される送電用コイルとを備える。
【発明の効果】
【００１４】
本発明によれば、施療子自体が温かいマッサージ機を提供することができる。
【図面の簡単な説明】
【００１５】
【図１】は第１実施形態のマッサージ機の斜視図である。
【図２】は図１の施療装置の断面図である（ａ：非発熱時、ｂ：発熱時）。
【図３】は第２実施形態の施療装置の断面図である（ａ：非発熱時、ｂ：発熱時）。
【図４】は第３実施形態の施療装置の断面図である（ａ：非発熱時、ｂ：発熱時）。
【図５】は第４実施形態の施療装置の断面図である（ａ：非発熱時、ｂ：発熱時）。
【図６】は第５実施形態の施療装置の断面図である（ａ：非発熱時、ｂ：発熱時）。
【図７】は変形例の施療装置の断面図である。
【発明を実施するための形態】
【００１６】
（マッサージ機が取り得る形態の一例）
〔１〕本発明に従うマッサージ機の第１の形態は、弾性体により構成され、内部に円筒形状の空間が形成され、身体に押し付けられる押圧部と、円筒形状を有する部材であり、前記押圧部の内部の空間に配置され、前記押圧部の内周面が接触するように前記押圧部が取り付けられる熱源部と、前記熱源部の内部に形成される空間に配置され、前記押圧部を支持する軸である支持部材と、前記熱源部の内周面との間に空間が形成されるように前記支持部材の周囲に巻き付けられ、交流電流が供給される送電用コイルと、前記熱源部に埋め込まれる受電用コイルと、前記熱源部に埋め込まれ、前記受電用コイルと電気的に接続されるヒーターとを備える。
〔２〕前記マッサージ機の一例によれば、前記ヒーターは前記受電用コイルよりも前記熱源部の径方向外方に配置される。
〔３〕前記マッサージ機の一例によれば、電気的に接続された前記受電用コイルおよび前記ヒーターの組を複数備え、それらの組が前記熱源部の周方向に並べて配置される。
〔４〕本発明に従うマッサージ機の第２の形態は、弾性体により構成され、内部に円筒形状の空間が形成され、身体に押し付けられる押圧部と、導電体により構成され、円筒形状を有する部材であり、前記押圧部と同軸を有するように前記押圧部の内部の空間に配置され、前記押圧部の内周面が接触するように前記押圧部が取り付けられる熱源部と、前記押圧部と同軸を有するように前記熱源部の内部に形成される空間に配置され、前記押圧部を支持する軸である支持部材と、前記熱源部の内周面との間に空間が形成されるように前記支持部材の周囲に巻き付けられ、交流電流が供給される送電用コイルと、前記支持部材に対して前記押圧部が回転できるように前記押圧部を支持し、前記押圧部および前記熱源部を軸方向の両側から挟み込むように前記支持部材に取り付けられる一対の軸受とを備える。
〔５〕前記マッサージ機の一例によれば、前記熱源部は径方向外方に突出する凸部を備え、前記押圧部は前記凸部が嵌め込まれる凹部を備える。
〔６〕本発明に従うマッサージ機の第３の形態は、導電性を有する弾性体により構成され、内部に円筒形状の空間が形成され、身体に押し付けられる押圧部と、円筒形状を有する部材であり、前記押圧部の内部の空間に配置され、前記押圧部の内周面が接触するように前記押圧部が取り付けられる取付部と、前記取付部の内部に形成される空間に配置され、前記押圧部を支持する軸である支持部材と、前記取付部の内周面との間に空間が形成されるように前記支持部材の周囲に巻き付けられ、交流電流が供給される送電用コイルとを備える。
〔７〕前記マッサージ機の一例によれば、前記押圧部における外周部分の導電性が前記押圧部における内周部分の導電性よりも高い。
【００１７】
（第１実施形態）
図１を参照して、マッサージ機１０の全体構成について説明する。なお、マッサージ機１０の正面視かつ幅方向を幅方向Ｘとする。また、背もたれ部１３の正面視かつ高さ方向を高さ方向Ｙとする。
図１は、本実施形態のマッサージ機１０の概略構成を示す。図１に示すように、マッサージ機１０の脚部１１は図示しない床面に載置されるとともに、その脚部１１の上部には使用者が着座可能な座部１２が固定されている。その座部１２の後部には、使用者が背中をもたれ掛けさせるための背もたれ部１３が傾動可能に設けられるとともに、座部１２の前部には使用者の脚を載せることができるオットマン１４が傾動可能に設けられている。また、使用者の腕を置くための肘掛け部１５が背もたれ部１３から座部１２の両側前方にかけて設けられている。また、背もたれ部１３の側面には使用者によるマッサージ機１０の各部を操作可能なコントローラー１６が設けられている。
【００１８】
背もたれ部１３は、背もたれ部本体１３ａと、この背もたれ部本体１３ａの前面を覆うカバー部１３ｂとで構成される。背もたれ部本体１３ａは、前面が開口された硬質樹脂材料からなる図示しない本体ケース内に、背もたれ部１３の上下方向に沿って図示しないガイドレールが設けられる。そして、背もたれ部本体１３ａには、このガイドレールに沿って上下方向に移動可能にマッサージ機構２０が組み付けられている。マッサージ機構２０には、図示しない各種駆動モータが備えられるとともに、これら各種駆動モータの駆動によってマッサージ機構２０の上下動や、このマッサージ機構２０に備えられる一対の施療装置２１による所定の施療動作が行われるようになっている。なお、施療動作は、使用者による操作が可能なコントローラー１６により、操作可能とされる。
【００１９】
図２（ａ）に示すように、一対の施療装置２１（１つのみ図示）は、それぞれアーム２２と、アーム２２に取付けられ、身体をマッサージする施療子としての揉み玉２３とを有している。詳しく説明すると、アーム２２の先端には、幅方向Ｘの内側に向かって円柱状の固定軸２４が突出するように設けられている。この固定軸２４に揉み玉２３が回転可能に固定されている。具体的には、固定軸２４には、揉み玉２３の幅方向外側への移動を規制する第１軸受２５と、揉み玉２３の幅方向内側への移動を規制する第２軸受２６が取り付けられる。そして、固定軸２４には、幅方向Ｘにおいて、外側から順番に第１軸受２５、揉み玉２３、第２軸受２６が配置され、ネジなどにより第２軸受２６が固定軸２４に固定される。これにより、第１軸受２５及び第２軸受２６は、揉み玉２３が幅方向Ｘにおいて位置がずれないように揉み玉２３を挟持する。すなわち、揉み玉２３は、幅方向への移動が規制されると共に、回転可能に固定軸２４に固定される。
【００２０】
この固定軸２４には、送電用コイル３０が配置されている。すなわち、送電用コイル３０は、揉み玉２３の内側に配置されている。この送電用コイル３０は、図示しない電源と接続されており、交流電流が流れるようになっている。交流電流は、コントローラー１６を操作することにより、送電用コイル３０に流れるようになっている。また、揉み玉２３は、図２（ａ）に示すように、円筒形状に形成されている熱源部３１と、熱源部３１を覆うように円筒形状に形成されている押圧部３２により構成されている。
【００２１】
熱源部３１は、その内径が固定軸２４（送電用コイル３０）の外径よりも大きく形成されており、樹脂などにより構成されている。この熱源部３１には、受電用コイル３３及び受電用コイル３３に接続されているヒーター３４が埋め込まれている。ヒーター３４としては、ＰＴＣ（Positive Temperature Coefficient）ヒーターなどが用いられている。受電用コイル３３及びヒーター３４は、複数組、熱源部３１に埋め込まれている。なお、受電用コイル３３は、熱源部３１において、固定軸２４の周りにほぼ均等となるように配置されている。また、固定軸２４の径方向において、固定軸２４から受電用コイル３３までの距離はいずれも同じに設定されている。また、ヒーター３４は、熱源部３１の外周近辺に配置されている。また、受電用コイル３３は、熱源部３１において、送電用コイル３０に交流電流が流された際、送電用コイル３０により変化される磁場（磁束）が通過する位置に配置されている。そして、押圧部３２は、その内径が熱源部３１の外径よりも大きく形成されており、ゴムなどの弾性体により構成されている。また、熱源部３１の外径に密接した状態で固定されており、熱源部３１から熱が伝わるように構成されている。
【００２２】
次に、揉み玉２３の作用について図２（ｂ）に基づき説明する。
コントローラー１６を操作することにより電源から送電用コイル３０に交流電流が流れる。交流電流が流れると、送電用コイル３０を通過する磁束密度が変化する（磁場が変化する）。すなわち、受電用コイル３３を通過する磁束密度が変化する（磁場が変化する）。これにより、受電用コイル３３に電磁誘導により誘導電流が流れ（誘導起電力が生じ）、ヒーター３４に電流が流れる（電圧が印可される）。従って、ヒーター３４が発熱する。ヒーター３４が発熱すると、熱源部３１が温まり、それが押圧部３２に伝わる。従って、揉み玉２３全体が温かくなる。この状態で、コントローラー１６を操作することによりマッサージ機構２０を操作して、所定の施療動作を行わせると、揉み玉２３が温かい状態で、使用者の身体を押圧することができる。
【００２３】
以上詳述したように、本実施形態は、以下の効果を有する。
（１）揉み玉２３が固定される支持部材としての固定軸２４に、揉み玉２３を通過する磁場を変化させる送電用コイル３０を設けた。そして、揉み玉２３には、磁場の変化に基づき発熱する熱源部３１を備えた。より詳しくは、揉み玉２３の熱源部３１に、磁場の変化により誘導電流が流れる受電用コイル３３と、受電用コイル３３から供給される電流が流れるヒーター３４を埋め込んだ。変化手段としての送電用コイル３０は、交流電流が流されることにより、揉み玉２３を通過する磁場を変化させ、ヒーター３４に受電用コイル３３からの電流を流させ、熱源部３１を発熱させて揉み玉２３を温めた。そして、この状態で、マッサージ機構２０を動作させることにより、温めた揉み玉２３で所定の施療動作を行わせた。このため、使用者の身体を温めた揉み玉２３で押圧（マッサージ）することができる。つまり、施療箇所に対して温めながらマッサージすることができ、マッサージ効果を高めることができる。また、人の手で温めながらマッサージするように感じさせることができ、心地よさを一層増加させることができる。
【００２４】
（２）揉み玉２３は、固定軸２４がその中心に挿入されることにより固定されている。そして、固定軸２４に、送電用コイル３０を配置した。すなわち、揉み玉２３の中心軸に沿って、送電用コイル３０を配置した。これにより、揉み玉２３全体に、磁力線を均一に通過させることができる。そして、受電用コイル３３は、熱源部３１において均等に配置されている。これにより、受電用コイル３３は、位置に関係なく同等の誘導電流が流れ、ヒーター３４に同じ量の電流を流すことができる。すなわち、ヒーター３４を同じ温度で発熱させ、揉み玉２３を均一的に温めることができる。従って、揉み玉２３が接触する場所によって温かさのバラツキを感じることが無く、マッサージ効果を高めることができる。また、心地よさを感じさせることができる。
【００２５】
（３）揉み玉２３は、固定軸２４に対して非接触で電力を供給しており、固定軸２４に対して回転可能に固定されている。このため、身体に対して回転させながら、押圧することができ、マッサージ効果を高めることができる。また、揉み玉２３は、均一に温められているため、回転させても使用者に温度差による違和感なく、心地よさを感じさせることができる。また、非接触で電力を供給し、揉み玉２３の熱源部３１が発熱して揉み玉２３を直接温めることから、固定軸２４を発熱させて、揉み玉２３を温めるよりも効率よく温めることができる。
【００２６】
（第２実施形態）
以下、本発明を具体化した第２実施形態を説明する。尚、以下に説明する実施形態では、既に説明した第１実施形態と同一構成について同一符号を付すなどして、その重複する説明を省略又は簡略する。
【００２７】
本実施形態の揉み玉１０１は、図３（ａ）に示すように、円筒形状に形成されている熱源部１０２と、熱源部１０２の外周を覆うように円筒形状に形成されている押圧部１０３により構成されている。熱源部１０２は、その内径が送電用コイル３０の外径よりも大きく形成されており、鉄などの導電体により構成されている。また、熱源部１０２は、送電用コイル３０に交流電流が流された際、送電用コイル３０により変化される磁場（磁束）が通過する位置に配置されている。一方、押圧部１０３は、その内径が熱源部１０２の外径と同じとなるように形成されており、ゴムなどの弾性体により構成されている。そして、押圧部１０３は、熱源部１０２の外径に密接した状態で接着固定されており、熱源部１０２から熱が伝わるように構成されている。なお、本実施形態において、押圧部１０３は、非導電体となっている。
【００２８】
次に、揉み玉１０１の作用について図３（ｂ）に基づき説明する。
コントローラー１６を使用者が操作することにより電源から送電用コイル３０に交流電流が流れる。交流電流が流れると、図３（ｂ）に示すように、送電用コイル３０を通過する磁束密度が変化する（磁場が変化する）。すなわち、熱源部１０２を通過する磁束密度が変化する（磁場が変化する）。これにより、熱源部１０２の中で、渦電流が発生し、電気抵抗によるジュール熱が発生する。すなわち、金属製の熱源部１０２が、自己発熱する。熱源部１０２が発熱すると、それが押圧部１０３に伝わり、揉み玉１０１全体が温かくなる。この状態で、コントローラー１６を使用者が操作することによりマッサージ機構２０に所定の施療動作を行わせると、揉み玉１０１が温かい状態で、使用者の身体を押圧することができる。
【００２９】
以上詳述したように、本実施形態は、第１実施形態の効果（３）に加えて、以下の効果を有する。
（４）揉み玉１０１の熱源部１０２は、導電体により構成され、揉み玉１０１が固定される固定軸２４に、揉み玉１０１を通過する磁場を変化させる送電用コイル３０を設けた。送電用コイル３０は、交流電流が流されることにより、揉み玉１０１を通過する磁場を変化させ、導電体である熱源部１０２に渦電流を発生させ、自己発熱させて揉み玉１０１を温めた。そして、この状態で、マッサージ機構２０を動作させることにより、温めた揉み玉１０１で所定の施療動作を行わせることとなる。このため、使用者の身体を温めた揉み玉１０１で押圧（マッサージ）することができる。つまり、施療箇所に対して温めながらマッサージすることができ、マッサージ効果を高めることができる。また、人の手で温めながらマッサージするように感じさせることができ、心地よさを一層増加させることができる。
【００３０】
（５）揉み玉１０１は、固定軸２４がその中心に挿入されることにより固定されている。そして、固定軸２４に、送電用コイル３０を配置した。すなわち、揉み玉１０１の中心軸に沿って、送電用コイル３０を配置した。これにより、揉み玉１０１全体に、磁力線を均一に通過させることができる。そして、熱源部１０２は、円筒形状に構成されており、固定軸２４の中心軸と一致するように固定軸２４に配置されている。これにより、熱源部１０２は、位置に関係なく同等の渦電流が発生し、同等に温めることができる。すなわち、揉み玉１０１を均一的に温めることができる。従って、揉み玉１０１が接触する場所によって温かさのバラツキを感じることが無く、マッサージ効果を高めることができる。また、心地よさを感じさせることができる。
【００３１】
（第３実施形態）
以下、本発明を具体化した第３実施形態を説明する。尚、以下に説明する実施形態では、既に説明した第１実施形態と同一構成について同一符号を付すなどして、その重複する説明を省略又は簡略する。
【００３２】
本実施形態の揉み玉２０１は、図４（ａ）に示すように、円筒形状に形成されている熱源部２０２と、熱源部２０２の外周を覆うように円筒形状に形成されている押圧部２０３により構成されている。熱源部２０２は、幅方向Ｘの中央において、外径方向に突出する凸部２０４が形成されている。熱源部２０２は、鉄などの導電体により構成されており、送電用コイル３０に交流電流が流された際、送電用コイル３０により変化される磁場（磁束）が通過する位置に配置されている。一方、押圧部２０３は、凸部２０４の外周面２０４ａ及び幅方向Ｘにおける側面２０４ｂを覆うように幅方向Ｘの中央において、凹部２０５が形成されている。そして、図４（ａ）において、凸部２０４の側面２０４ｂから押圧部２０３の外側面２０３ｂまでの距離Ｘ１と、凸部２０４の外周面２０４ａから押圧部２０３の外周面２０３ａまでの距離Ｘ２が同じとなるように形成されている。同様に、凸部２０４の角から、押圧部２０３の角までの距離Ｘ３が、距離Ｘ１，Ｘ２と同じとなるように形成されている。なお、凸部２０４の角は、丸みを帯びており、押圧部２０３も凸部２０４と同様に丸みを帯びて形成されている。また、押圧部２０３は、ゴムなどの弾性体により構成されている。
【００３３】
次に、揉み玉２０１の作用について図４（ｂ）に基づき説明する。
コントローラー１６を使用者が操作することにより電源から送電用コイル３０に交流電流が流れる。交流電流が流れると、図４（ｂ）に示すように、送電用コイル３０を通過する磁束密度が変化する（磁場が変化する）。すなわち、熱源部２０２を通過する磁束密度が変化する（磁場が変化する）。これにより、熱源部２０２の中で、渦電流が発生し、電気抵抗によるジュール熱が発生する。すなわち、金属製の熱源部２０２が、自己発熱する。熱源部２０２が発熱すると、それが押圧部２０３に伝わり、揉み玉２０１全体が温かくなる。この状態で、コントローラー１６を使用者が操作することによりマッサージ機構２０に所定の施療動作を行わせると、揉み玉２０１が温かい状態で、使用者の身体を押圧することができる。
【００３４】
以上詳述したように、本実施形態は、第２実施形態の効果（４）、（５）に加えて、以下の効果を有する。
（６）押圧部２０３の外周面から熱源部２０２までの距離は、いずれも同じであるため、押圧部２０３の外周面を均一に温めることができる。従って、揉み玉２０１が接触する場所によって温かさのバラツキを感じることが無く、マッサージ効果を高めることができる。また、心地よさを感じさせることができる。
【００３５】
（第４実施形態）
以下、本発明を具体化した第４実施形態を説明する。尚、以下に説明する実施形態では、既に説明した第１実施形態と同一構成について同一符号を付すなどして、その重複する説明を省略又は簡略する。
【００３６】
本実施形態の揉み玉３０１は、図５（ａ）に示すように、円筒形状に形成されている取付部３０２と、取付部３０２の外周を覆うように円筒形状に形成されている押圧部３０３により構成されている。取付部３０２は、非導電体であり、かつ、非弾性体の樹脂などで形成されている。押圧部３０３は、その内径が取付部３０２の外径と同じとなるように形成されており、接着などにより固定されている。そして、押圧部３０３は、カーボンブラックや鉄粉、銀粉などの導電体が混入されたゴムなどの弾性体により構成されている。つまり、本実施形態において、押圧部３０３は、導電性を有している。なお、押圧部３０３の外周面には、弾性体のみで構成されていることが好ましい。そして、押圧部３０３は、送電用コイル３０に交流電流が流された際、送電用コイル３０により変化される磁場（磁束）が通過する位置に配置されている。なお、図５（ａ）では、導電体の粒子を白丸「○」にて模式的に図示している。
【００３７】
次に、揉み玉３０１の作用について図５（ｂ）に基づき説明する。
コントローラー１６を使用者が操作することにより電源から送電用コイル３０に交流電流が流れる。交流電流が流れると、図５（ｂ）に示すように、送電用コイル３０を通過する磁束密度が変化する（磁場が変化する）。すなわち、押圧部３０３を通過する磁束密度が変化する（磁場が変化する）。これにより、押圧部３０３の中で、すなわち、混入された導電体において渦電流が発生し、電気抵抗によるジュール熱が発生する。すなわち、押圧部３０３が自己発熱し、揉み玉３０１全体が温かくなる。この状態で、コントローラー１６を使用者が操作することによりマッサージ機構２０に所定の施療動作を行わせると、揉み玉３０１が温かい状態で、使用者の身体を押圧することができる。
【００３８】
以上詳述したように、本実施形態は、第１実施形態の効果（３）に加えて、以下の効果を有する。
（７）揉み玉３０１の押圧部３０３は、導電体が混入された弾性体により構成されている。送電用コイル３０は、交流電流が流されることにより、揉み玉３０１を通過する磁場を変化させる。これにより、押圧部３０３に混入する導電体に渦電流が発生し、自己発熱して揉み玉３０１が温まる。この状態で、マッサージ機構２０を動作させることにより、温めた揉み玉３０１で所定の施療動作が行われる。このため、使用者の身体を温めた揉み玉３０１で押圧（マッサージ）することができる。つまり、施療箇所に対して温めながらマッサージすることができ、マッサージ効果を高めることができる。また、人の手で温めながらマッサージするように感じさせることができ、心地よさを一層増加させることができる。
【００３９】
（８）揉み玉３０１の押圧部３０３に、導電体を均一に混入させることにより、渦電流を押圧部３０３に均一に発生させることができる。すなわち、温度のムラが無く、均一に揉み玉３０１を温めることができる。従って、揉み玉３０１が接触する場所によって温かさのバラツキを感じることが無く、マッサージ効果を高めることができる。また、心地よさを感じさせることができる。
【００４０】
（第５実施形態）
以下、本発明を具体化した第５実施形態を説明する。尚、以下に説明する実施形態では、既に説明した第４実施形態と同一構成について同一符号を付すなどして、その重複する説明を省略又は簡略する。
【００４１】
本実施形態の押圧部４０３は、図６（ａ）に示すように、カーボンブラックや鉄粉、銀粉などの導電体が混入されたゴムなどの弾性体により構成されている。押圧部４０３の外周面近辺においては、押圧部４０３の内周面と比較して導電体の密度が多くなるように形成されている。具体的には、混入させる導電体の数量を多くすることにより、導電体の密度を多くしている。なお、図７に示すように、外周面近辺の導電体の大きさを内部の導電体よりも大きくすることにより、導電体の密度を多くしても良い。一方、押圧部４０３の外周面は、弾性体のみで構成されていることが好ましい。
【００４２】
次に、押圧部４０３の作用について図６（ｂ）に基づき、説明する。
コントローラー１６を使用者が操作することにより電源から送電用コイル３０に交流電流が流れる。交流電流が流れると、図６（ｂ）に示すように、送電用コイル３０を通過する磁束密度が変化する（磁場が変化する）。すなわち、押圧部４０３を通過する磁束密度が変化する（磁場が変化する）。これにより、押圧部４０３の中で、すなわち、混入された導電体において渦電流が発生し、電気抵抗によるジュール熱が発生する。その際、導電体の密度は、押圧部４０３の外周面近辺において、その内周面よりも高くなっているため、押圧部４０３の外周面を効率的に発熱させることができる。そして、押圧部４０３が自己発熱し、揉み玉３０１全体が温かくなった状態で、コントローラー１６を使用者が操作することによりマッサージ機構２０に所定の施療動作を行わせると、揉み玉３０１が温かい状態で、使用者の身体を押圧することができる。
【００４３】
以上詳述したように、本実施形態は、第４実施形態の効果に加えて、以下の効果を有する。
（９）押圧部４０３の外周面近辺においては、押圧部４０３の内周面と比較して導電体の密度が多くなるように形成されている。このため、押圧部４０３の外周面をその内部と比較して効率的に温めることができる。
【００４４】
なお、上記実施形態は以下のように変更してもよい。
・上記実施形態では、椅子型のマッサージ機を採用したが、ベッド型、ハンディ型、着用型のマッサージ機を採用しても良い。
【００４５】
・上記実施形態では、揉み玉２３，１０１，２０１，３０１は、固定軸２４に対して回転可能に固定されていたが、回転できなくても良い。
・上記第１実施形態において、受電用コイル３３及びヒーター３４を押圧部３２に埋め込んでも良い。
・上記実施形態において、押圧部３２，１０３，２０３，３０３，４０３は、弾性体でなくても良い。
・上記第１実施形態において、受電用コイル３３は、均一に配置されているが、均一に配置されなくても良い。
【００４６】
（課題を解決するための手段に関する付記）
（付記１）
施療子を動作させて使用者の身体に押圧力を付与するマッサージ機において、
前記施療子が固定される支持部材に前記施療子を通過する磁場を変化させる変化手段が設けられ、
前記施療子に磁場の変化に基づいて発熱する発熱手段が設けられ、
前記変化手段は前記施療子を通過する磁場を変化させることにより前記発熱手段を発熱させて前記施療子を温める
ことを特徴とするマッサージ機。
（付記２）
前記発熱手段として導電体により構成される熱源部を有し、
前記変化手段は前記施療子を通過する磁場を変化させて前記熱源部に渦電流を発生させることにより前記熱源部を自己発熱させて前記施療子を温める
付記１に記載のマッサージ機。
（付記３）
前記支持部材が前記施療子の中心に挿入されることにより前記施療子が固定され、
前記支持部材に前記変化手段としての送電用コイルが配置される
付記１または２に記載のマッサージ機。
（付記４）
前記支持部材が前記施療子の中心に挿入されることにより前記施療子が回転可能に固定され、
導電体により構成される前記発熱手段としての熱源部が前記施療子の内部に配置され、
前記支持部材に前記変化手段としての送電用コイルが配置される
付記１〜３のいずれか一項に記載のマッサージ機。
（付記５）
導電体により構成される前記発熱手段としての熱源部を有し、
前記熱源部は筒状を有し、前記支持部材と同軸上に配置される
付記１〜４のいずれか一項に記載のマッサージ機。
（付記６）
導電体により構成される前記発熱手段としての熱源部を有し、
前記施療子の厚みが一定となるように前記熱源部が構成される
付記１〜５のいずれか一項に記載のマッサージ機。
（付記７）
前記施療子は導電性を有する弾性体により形成される
付記１〜３のいずれか一項に記載のマッサージ機。
（付記８）
前記施療子は筒状を有し、前記施療子の内部よりも外部の導電性が高い
付記７に記載のマッサージ機。
【符号の説明】
【００４７】
１０    ：マッサージ機
１１    ：脚部
１２    ：座部
１３    ：背もたれ部
１３ａ  ：背もたれ部本体
１３ｂ  ：カバー部
１４    ：オットマン
１５    ：肘掛け部
１６    ：コントローラー
２０    ：マッサージ機構
２１    ：施療装置
２２    ：アーム
２３    ：揉み玉（施療子）
２４    ：固定軸（支持部材）
２５    ：第１軸受
２６    ：第２軸受
３０    ：送電用コイル（変化手段）
３１    ：熱源部（発熱手段）
３２    ：押圧部
３３    ：受電用コイル
３４    ：ヒーター
１０１  ：揉み玉（施療子）
１０２  ：熱源部（発熱手段）
１０３  ：押圧部
２０１  ：揉み玉（施療子）
２０２  ：熱源部（発熱手段）
２０３  ：押圧部
２０３ａ：外周面
２０３ｂ：外側面
２０４  ：凸部
２０４ａ：外周面
２０４ｂ：側面
２０５  ：凹部
３０１  ：揉み玉（施療子）
３０２  ：取付部
３０３  ：押圧部
４０３  ：押圧部
Ｘ      ：幅方向
Ｙ      ：高さ方向
【図１】
0005853172.tif 000002
【図２】
0005853172.tif 000003
【図３】
0005853172.tif 000004
【図４】
0005853172.tif 000005
【図５】
0005853172.tif 000006
【図６】
0005853172.tif 000007
【図７】
0005853172.tif 000008